(57)【特許請求の範囲】
【請求項１】
吐水口を有するシャワーヘッド又は吐水管から成る吐水部に円筒スプール弁体を回転可能に設けて、該円筒スプール弁体により該吐水口からの吐止水と流量調節を行わせるようになし、
該吐水部の内部には、大流量で水を流通させる主水路と、該主水路を開閉する主弁の動作制御用のパイロット水路を形成するとともに、前記円筒スプール弁体には、該パイロット水路を開閉するパイロット弁部と、該主水路の流量調節を行う流量調節弁部とを設け、
更に前記吐水部には、前記円筒スプール弁体の周壁部に対向する位置において前記パイロット水路からの水を流出させる第一開口と、前記主水路からの水を流出させる第二開口とを設ける一方、該円筒スプール弁体の周壁部には、該パイロット水路と該第一開口とを連通させる第一連通口及び該主水路と該第二開口とを連通させる第二連通口とを形成し、該スプール弁体の回転により該第一連通口を介して該パイロット水路と該第一開口とを連通させ又は遮断することにより吐止水を行う一方、それらパイロット水路と第一開口との連通を維持した状態で該第二連通口と該第二開口との一致部分の面積を増減させることにより流量調節を行うようになしたことを特徴とする吐水装置。
【請求項２】
請求項１に記載の吐水装置において、前記シャワーヘッド又は吐水管に接続されたシャワーホース又は通水路より上流部の前記主水路内に前記主弁が組み込んであり、該主弁の配設部位から前記パイロット弁部の位置まで該シャワーホース又は通水路内部を細管が延び出していて、該細管内に前記パイロット水路が形成されていることを特徴とする吐水装置。
【請求項３】
請求項２に記載の吐水装置において、前記シャワーホース又は通水路より上流部の前記主水路内に且つ前記主弁より上流側に、下流部分を給水圧に対し減圧状態とする減圧弁が組み込んであることを特徴とする吐水装置。
【請求項４】
請求項３に記載の吐水装置において、前記減圧弁が前記主弁とともに前記シャワーホースに接続された継手管の内部に組み込んであることを特徴とする吐水装置。
【発明の詳細な説明】
【０００１】
【発明の属する技術分野】
この発明は吐水装置に関し、詳しくは吐止水操作部及び流調操作部を手元操作部として備えた吐水装置に関する。
【０００２】
【従来の技術及び発明が解決しようとする課題】
近年、キッチン水栓装置として吐水管の先端部をシャワーヘッドとして構成し、これをシャワーホースとともに引き出して吐水口から吐水可能となしたものが用いられるようになって来ている。
或いはまた、洗面化粧室に備えられる洗髪シャワー水栓装置においても同様の形態のものが用いられている。
【０００３】
一方浴室においては、従来より水栓本体からシャワーホースを延び出させてその先端にシャワーヘッドを接続し、水栓本体から供給した水をシャワーヘッドよりシャワー吐水するようになしたものが広く用いられている。
【０００４】
ところでこれらの吐水装置の場合、シャワーヘッドを自在に目的の位置に持ち来して吐水することができ、吐水位置がほぼ固定の他の従来一般の吐水装置に比べて利便性が高いものの、反面において吐水口からの吐水・止水（吐止水）を行うための吐止水操作部及び吐水口からの吐水流量調節のための流調操作部がシャワーヘッドから遠い位置にあるため、それらの操作がし辛いといった問題があった。
【０００５】
そこで例えば浴室の吐水装置において、シャワーヘッドに手元操作部として吐止水操作部を設けるといったことが行われている。
図７はその一例を示したものである。同図において３００はシャワーヘッド、３０２は継手管で、それらに対し所定長さの可撓性のシャワーホース３０４の各端部が接続されている。
継手管３０２は接続口３０６を有していて、その接続口３０６において水栓本体に接続され、水栓本体からの水がシャワーホース３０４内部の主水路３０８及びシャワーヘッド３００内部の主水路３０８を通じてシャワーヘッド３００の吐水口へと供給される。
【０００６】
シャワーヘッド３００には手元操作部として吐止水操作部３１０が設けられており、その吐止水操作部３１０の操作によって主水路３０８を開閉する主弁３１２が開閉動作するようになっている。
【０００７】
詳しくは、シャワーホース３０４及びシャワーヘッド３００の内部には可撓性のチューブ３１４が挿通されていてその内部にパイロット水路３１６が形成されており、吐止水操作部３１０を図７に示す状態から右向きに押込操作すると、軸３１８の右向きの移動及びこれに伴うボール３２０の下向きの押出しによってパイロット弁３２２が弁座３２４から離れて開弁し、パイロット水路３１６内部の水をシャワーヘッド３００内部の主水路３０８に流出させる。
【０００８】
すると主弁３１２の背面側に形成された背圧室３２６（この背圧室３２６はパイロット水路３１６に連通している）内部の圧力が低下し、主弁３１２が給水圧により図中上向きに開弁動作する。
ここにおいてシャワーホース３０４内の主水路３０８に水栓本体側からの水が供給される。供給された水はシャワーヘッド３００内部の主水路３０８を流通した後、先端の吐水口から吐水される。
【０００９】
一方吐止水操作部３１０を左向きに押込操作して図７に示す状態に戻すと、ここにおいてパイロット弁３２２が閉弁し、これによって背圧室３２６内部の圧力が漸次高まって最終的に主弁３１２が閉弁し、吐水口への水の供給が停止する。
【００１０】
この図７に示す吐水装置にあっては、シャワーヘッド３００を手に持った状態で吐止水操作部３１０を手元操作することにより吐水口からの吐止水を行うことができ、しかもその吐止水操作部３１０はパイロット水路３１６を開閉するものであるため、小さい力で楽に操作でき、この点で利便性の高いものであるが、この吐水装置にあっては、吐水口からの流量を調節する場合にはシャワーヘッド３００から遠く離れた水栓本体の流調操作部を操作しなければならず、利便性の点で未だ十分とは言えないものである。
【００１１】
図８は別の従来例を示したもので、この例のものはシャワーヘッド３００に設けた吐止水操作部３２８の操作摘み３３０を回転操作することで弁体３３２を軸方向に移動させ、そしてこれを弁座３３４に当接させ或いは離間させることによって主水路３０８を開閉し、吐水口３３６からの吐水及び止水を行うようになしたものである。
【００１２】
ここで弁体３３２は図９に示すような構造で組み付けられている。
同図において、３３８は円筒形状をなす外筒で大径部３４０を有しており、その大径部３４０の外周面に形成された雄ねじ３４２において、シャワーヘッド３００の雌ねじ孔にねじ組付けされている。
３４４はその外筒３３８に回転可能に内嵌された駆動スリーブで円筒形状の大径部３４６を有しており、その大径部３４６にスリット３４８が螺旋状に形成されている。
【００１３】
そしてこの駆動スリーブ３４４内に弁体３３２の軸部３５０が内嵌されるとともに、その弁体３３２の軸部３５０に設けられた従動突起３５２が駆動スリーブ３４４のスリット３４８に挿通され、操作摘み３３０の回転操作に伴って駆動スリーブ３４４が回転運動させられることで、弁体３３２が螺旋状のスリット３４８による案内作用で軸方向に進退させられるようになっている。
尚この例の吐水装置の場合、弁体３３２を閉弁させるとシャワーホース３０４より上流部に配設してある主弁３１２も閉弁する。
【００１４】
この例の吐水装置にあっても、シャワーヘッド３００を手に持ちながら手元操作により吐止水を行うことができる。
またこの吐水装置の場合、吐止水操作部３２８における操作摘み３３０の回転量を調節することで、吐水口３３６からの吐水量の調節も併せて行うことが可能である。
【００１５】
しかしながらこの吐水装置の場合、弁体３３２を軸方向に進退させて吐止水ないし流量調節を行うものであるため、特に大流量で吐水を行うときにおいて、弁体３３２ないし吐止水操作部３２８がシャワーヘッド３００から大きく突き出した状態となってしまい、シャワーヘッド３００をグリップする際にその操作部ないし弁体３３２が邪魔となったり、或いは突起物によってシャワーヘッドの美観が損われる問題がある外、吐止水操作部３２８ないし弁体３３２が図９に示すように多数の部材にて構成されていることから構造が複雑化し、コストも高くなってしまうといった問題を有している。
【００１６】
またこの吐水装置の場合、手元操作部としての吐止水操作部３２８が、大流量で水を流通させる主水路３０８を直接開閉するものであることから操作が重くなる問題があり、更にまた吐止水操作部３２８の操作によって弁体３３２を閉弁させると、それより上流側のシャワーヘッド３００内部及びシャワーホース３０４内部に一定の圧力が篭ったものとなってしまう問題があり、更に吐水口３３６近くまで水が溜まったまま止水状態に保持されることとなるため、その滞留水内部で雑菌が発生・繁殖する恐れがあるといった不都合がある。
【００１７】
以上シャワー装置を例として説明したが、このようなシャワーヘッドを有しない長い吐水管の先端の吐水口から吐水を行う通常のキッチン水栓装置（吐水装置）においても大なり小なり同様の問題が内在する。
【００１８】
【課題を解決するための手段】
本発明の吐水装置はこのような課題を解決するために案出されたものである。
而して請求項１のものは、吐水口を有するシャワーヘッド又は吐水管から成る吐水部に円筒スプール弁体を回転可能に設けて、該円筒スプール弁体により該吐水口からの吐止水と流量調節を行わせるようになし、該吐水部の内部には、大流量で水を流通させる主水路と、該主水路を開閉する主弁の動作制御用のパイロット水路を形成するとともに、前記円筒スプール弁体には、該パイロット水路を開閉するパイロット弁部と、該主水路の流量調節を行う流量調節弁部とを設け、更に前記吐水部には、前記円筒スプール弁体の周壁部に対向する位置において前記パイロット水路からの水を流出させる第一開口と、前記主水路からの水を流出させる第二開口とを設ける一方、該円筒スプール弁体の周壁部には、該パイロット水路と該第一開口とを連通させる第一連通口及び該主水路と該第二開口とを連通させる第二連通口とを形成し、該スプール弁体の回転により該第一連通口を介して該パイロット水路と該第一開口とを連通させ又は遮断することにより吐止水を行う一方、それらパイロット水路と第一開口との連通を維持した状態で該第二連通口と該第二開口との一致部分の面積を増減させることにより流量調節を行うようになしたことを特徴とする。
【００１９】
請求項２のものは、請求項１に記載の吐水装置において、前記シャワーヘッド又は吐水管に接続されたシャワーホース又は通水路より上流部の前記主水路内に前記主弁が組み込んであり、該主弁の配設部位から前記パイロット弁部の位置まで該シャワーホース又は通水路内部を細管が延び出していて、該細管内に前記パイロット水路が形成されていることを特徴とする。
【００２０】
請求項３のものは、請求項２に記載の吐水装置において、前記シャワーホース又は通水路より上流部の前記主水路内に且つ前記主弁より上流側に、下流部分を給水圧に対し減圧状態とする減圧弁が組み込んであることを特徴とする。
【００２１】
請求項４のものは、請求項３に記載の吐水装置において、前記減圧弁が前記主弁とともに前記シャワーホースに接続された継手管の内部に組み込んであることを特徴とする。
【００２２】
【作用及び発明の効果】
上記のように請求項１の吐水装置は、シャワーヘッド又は吐水管から成る吐水部に円筒スプール弁体を回転可能に設け、その円筒スプール弁体により吐止水と流量調節を行わせるようになしたもので、この吐水装置の場合、吐水口からの吐止水のみならず流量調節をも手元操作することができ、吐水装置の利便性を飛躍的に高めることができる。
またこの吐水装置では、吐水部に円筒スプール弁体を回転可能に設けるだけで良いため、必要な部品点数が少なくて済むとともに、操作部及び弁部の構造を単純な構造とすることができ、所要コストも安価となすことができる。
【００２３】
この請求項１の吐水装置では、吐水部の内部に、大流量で水を流通させる主水路と、その動作制御用のパイロット水路を形成し、そして円筒スプール弁体に、そのパイロット水路を開閉するパイロット弁部と、主水路の流量調節を行う流量調節弁部とを設けており、この吐水装置にあっては、円筒スプール弁体の回転によりパイロット弁部を開閉して吐止水を行うように構成してあることから、小さい力で軽やかに吐止水操作を行うことができる。
【００２４】
この請求項１の吐水装置ではまた、円筒スプール弁体の回転により、その円筒スプール弁体の周壁部に設けた第一連通口を介してパイロット水路と吐水部の第一開口とを連通又は遮断させて吐止水を行う一方、主水路からの水を流出させる吐水部の第二開口と円筒スプール弁体の周壁部に設けた第二連通口との一致部分の面積を増減させて流量調節を行うようになしており、このようにすることにより、単一の円筒スプール弁体を回転操作するだけで簡単に別々の水路の開閉と流量調節とを行うことができる。即ち円筒スプール弁体の回転によりパイロット水路を開閉し、また主水路から吐水口に流出する流量の調節を行うことができる。
【００２５】
請求項２の吐水装置は、主弁の配設部位からパイロット弁部の配設部位まで細管を延び出させてパイロット水路を形成し、パイロット弁部によりそのパイロット水路を閉鎖することで主弁を閉鎖するため、止水状態において主弁より下流のシャワーホース又は通水路内の主水路を大気開放状態とすることができ、従ってシャワーホースまたは通水路の主水路内に圧力が篭ったり水が滞留してしまうといったことを良好に回避することができる。
【００２６】
請求項３のものは、シャワーホース又は通水路より上流部の主水路内に且つ上記主弁より上流側に、下流部分を給水圧に対し減圧状態とする減圧弁を組み込んだもので、この吐水装置にあっては、主弁を開いた状態のままで回転操作部の操作により流量調節弁部を操作したとき、詳しくは流量を少なく絞り込んだときに給水圧によりシャワーホース等の内部の圧力が過大となってシャワーホース部分が硬くなってしまうのを防ぐことができる。
流量を絞ることによって下流部分が圧力上昇すると減圧弁が主水路を絞り又は閉弁して下流部分の主水路の圧力を給水圧に対し減圧状態に保持するからである。
従って主弁を開いた状態の下で流量を絞った場合においても、シャワーホース等に大きな圧力が篭ってしまうのを良好に回避することができる。
【００２７】
請求項４のものは、上記主弁と減圧弁とをシャワーホースに接続された継手管の内部に組み込んだもので、このようにしておけば従来の水栓本体を何ら改変する必要がなく、また吐水装置の組付性も良好となる。
【００２８】
【実施例】
次に本発明の実施例を図面に基づいて詳しく説明する。
図５，図６は本発明の吐水装置の一例としてのキッチンの水栓装置を示したものである。
図中１０はキッチンカウンターで、１２はシンクである。
１４はキッチンカウンター１０から起立する状態で設けられた吐水管で、その先端部がシャワーヘッド１６として構成されている。
【００２９】
このシャワーヘッド１６には、吐水口１８からの吐水をシャワー吐水から整流吐水に若しくはその逆に切替操作する切替操作部２０が備えられている。
更にまたこのシャワーヘッド１６には、吐水口１８からの吐止水を行いまた吐水流量を調節するための回転操作部２２が備えられている。
【００３０】
２６はキッチンカウンター１０に取り付けられた湯水の混合部（水栓本体）で、水と湯の供給管２８が接続されており、それらを通じて水及び湯が内部に供給されるようになっている。
この混合部２６には水と湯の混合比率を調節する温調操作部３０が設けられており、この温調操作部３０がキッチンカウンター１０の上面に露出している。
【００３１】
上記シャワーヘッド１６にはシャワーホース３２が接続されており、このシャワーホース３２がキッチンカウンター１０の下側において上記混合部２６に接続されている。
尚、図６に示しているようにシャワーホース３２の端部には継手管３４が接続されており、この継手管３４が混合部２６の接続口に差込状態で連結されている。
【００３２】
シャワーヘッド１６及びシャワーホース３２の内部には、図１に示しているように大流量で水を流通させる主水路３６が形成されており、その主水路３６に沿ってその中心部に可撓性のチューブ３８が挿入配置されている。
チューブ３８は、その一端部が継手管３４内部に組み込まれたピストン式の主弁４２にパイプ４０を介して接続されている。
【００３３】
主弁４２はその内部に水路を有しており、この主弁４２，パイプ４０及びチューブ３８内部の水路によって、主弁４２の背面側に形成された背圧室４４に連通するパイロット水路４６が形成されている。
ここで背圧室４４は小孔４７を介して主水路３６の上流部、詳しくは背圧室４４の上流部に連通している。
【００３４】
主弁４２はピストン部４８を有していて、そのピストン部４８が円筒形の摺動面５０に摺動可能に嵌合されており、そして先端側の当接部５２が継手管３４に形成された弁座５４に当接し又はこれから離間することによって、主水路３６を閉鎖し又は開放する。
【００３５】
継手管３４の内部にはまた、主弁４２より上流側、詳しくは主弁４２による主水路３６の開閉部位よりも上流側にピストン式の減圧弁５６が組み込まれている。
減圧弁５６は大径のピストン部５８を有しており、そのピストン部５８が円筒形の摺動面６０に摺動可能に嵌合されている。
【００３６】
この減圧弁５６はその下流部分、詳しくは主水路３６における減圧弁５６の配設部位よりも下流部分の圧力が上昇して一定圧に達したとき、上流部と下流部とに対する受圧面積の差によって図中下向きに押動され、その当接部６６を弁座６２に接近又は当接させることによって、主水路３６を主弁４２の上流側で絞り又は閉鎖する。
【００３７】
即ち減圧弁５６は、主水路３６を絞り又は閉鎖することによって、これより下流側の主水路３６内の圧力をその上流側（一次側）の給水圧よりも低い圧力状態（減圧状態）に保つ働きをする。
尚この減圧弁５６は、スプリング６４により常時開弁方向に付勢されている。
また継手管３４の端部にはねじ式の接続口６８が設けられている。
【００３８】
シャワーヘッド１６の先端部には、図１及び図２に示しているように円筒スプール弁体８０が回転可能に組み付けられている。
円筒スプール弁体８０は底付円筒形状のもので、シャワーヘッド１６に設けた軸方向先端の開口８２より底部側の一部が露出状態で突き出しており、その突き出した部分が回転操作部２２として構成されている。
【００３９】
シャワーヘッド１６側には、円筒スプール弁体８０の周壁部８４に対向する位置において、パイロット水路４６からの水を流出させる周方向に所定長を有する長孔形状の第一開口８６（図４参照）と、これより離れた位置において主水路３６からの水を流出させる円形をなす大孔の第二開口８８が形成されている。
一方円筒スプール弁体８０には、第一開口８６，第二開口８８のぞれぞれに対応する位置においてパイロット弁部９０及び流量調節弁部９２が設けられている。
【００４０】
パイロット弁部９０は、軸方向の水路９４とこれに連続した半径方向の小孔から成る第一連通口９６とを有しており、その第一連通口９６がシャワーヘッド１６に形成された第一開口８６に一致した状態の下でパイロット水路４６を開放し、また回転操作部２２の回転操作によって第一連通口９６が第一開口８６に対し不一致となった状態でパイロット水路４６を閉鎖する。
尚第一開口８６を小孔の円形孔となす一方、第一連通口９６を周方向に所定長さを有する長孔となしておいても良い。
【００４１】
一方流量調節弁部９２は、シャワーヘッド側の円形の第二開口８８とほぼ同形状の第二連通口９８を有しており、回転操作部２２の回転操作により、その第二連通口９８とシャワーへッド側の第二開口８８との一致部分の拡大若しくは縮小に応じて、吐水口１８からの吐水流量を調節する。
【００４２】
尚、パイロット弁部９０の第一連通口９６と流量調節弁部９２の第二連通口９８とは、第二開口８８及び第二連通口９８が全体的及び部分的に一致している間は、第一連通口９６と第一開口８６とが一致した状態に保たれるようにそれらの開口位置が予め選ばれている。
【００４３】
本例の吐水装置の場合、シャワーヘッド１６の回転操作部２２を回転操作すると、パイロット弁部９０の第一連通口９６とシャワーヘッド１６の第一開口８６とが不一致の閉弁状態(図１，図３(I))から、第一連通口９６と第一開口８６とが一致する開弁状態（図３(II)，(III)，(IV)）となってパイロット水路４６が開かれ、続いて主弁４２が開弁動作する。
これによりシャワーヘッド１６の先端部まで水が主水路３６を通じて供給され、続いて流量調節弁部９２の第二連通口９８，シャワーヘッド１６の第二開口８８を通じた後、吐水口１８から吐水される。
【００４４】
ここで回転操作部２２を徐々に回転させて行くと、図３に示しているように流量調節弁部９２の第二連通口９８とシャワーヘッド１６の第二開口８８の一致部分の面積が徐々に増加し、これに伴って吐水口１８からの吐水流量が漸次増加する。
図２及び図３(IV)は流量調節弁部９２がいっぱいまで開かれた状態を示したものであり、このとき吐水口１８からは最大流量で水が吐水される。
【００４５】
尚、図３(II)，(III)，(IV)に示しているように流量調節弁部９２の第二連通口９８とシャワーヘッド１６の第二開口８８とが部分的に又は全体的に一致している状態の下では、パイロット弁部の第一連通口９６は常に第一開口８６に一致した状態に保たれる。即ちパイロット弁部９０が開弁状態に保たれる。
【００４６】
さて吐水口１８からの吐水流量を絞った状態の下では、上記減圧弁５６を設けておかないとシャワーヘッド１６先端部まで、詳しくは主水路３６の先端部まで一次給水圧が導かれてシャワーホース３２内に大きな圧力が篭った状態となってしまい、またこれに伴ってシャワーホース３２が硬くなってしまい、自由に曲り難くなる。
【００４７】
しかるに本例の吐水装置においては、主弁４２の上流側に減圧弁５６が設けられており、その減圧弁５６の配設部位よりも下流部分の主水路３６内部の圧力が高まって来ると、即ちシャワーホース３２内部の圧力が上昇してくるとその減圧弁５６が閉弁方向に動作し、主水路３６を絞り又は減圧弁５６の上流部と下流部とで遮断する。
【００４８】
これにより減圧弁５６よりも下流側の主水路３６内部の圧力が給水圧に対し一定圧低い減圧状態に保たれ、従って主弁４２を開いた状態の下で流量を絞った場合においても、シャワーホース３２内部に過大な圧力が篭ってシャワーホース３２が硬くなってしまうのが有効に防止される。
【００４９】
また本例の吐水装置では主弁４２がシャワーホース３２よりも上流部に配設してあるため、更には回転操作部２２の操作によりパイロット水路４６を閉鎖することで、その主弁４２を閉弁させ、これにより吐水口１８からの吐水を止めるようにしているため、止水状態においてその主弁４２よりも下流側の主水路３６内部全体を大気開放状態とすることができ、シャワーホース３２及びシャワーヘッド１６内の主水路３６内に圧力が篭ったり水が滞留したりするのを防ぐことができる。
【００５０】
更に本例のものは主弁４２と減圧弁５６とをシャワーホース３２に接続された継手管３４の内部に組み込んでいるため、従来の水栓本体（混合部２６）を何ら改変する必要がなく、また吐水装置の組付性も良好となる。
【００５１】
本例の吐水装置では、吐水口１８からの吐止水のみならず流量調節をも手元操作することができ、吐水装置の利便性を飛躍的に高めることができる。
またこの吐水装置ではシャワーヘッド１６の開口８２に円筒スプール弁体８０を回転可能に設けるだけで良いため、必要な部品点数が少なくて済むとともに、操作部及び弁部の構造を単純な構造とすることができ、所要コストも安価となすことができる。
【００５２】
更に本例の吐水装置は、円筒スプール弁体８０の回転によりパイロット弁部９０を開閉して吐止水を行うように構成してあることから、小さい力で軽やかに吐止水操作を行うことができる。
【００５３】
更に円筒スプール弁体８０を周方向に回転させることにより、シャワーヘッド１６の第二開口８８と円筒スプール弁体８０の周壁部８４の第二連通口９８との重なりを増減させて流量調節を行うようにしているため、流量調節をも軽やかに行うことができるとともに単一の円筒スプール弁体８０を回転操作するだけで吐止水操作と流量調節操作とを操作性良く簡単に行うことができる。
【００５４】
以上本発明の実施例を詳述したがこれはあくまで一例示である。
例えば上例ではキッチン水栓装置（吐水装置）の吐水管の先端部をシャワーヘッドとして構成し、そのシャワーヘッドに円筒スプール弁体を設けた場合の例であるが、本発明は他の様々な形態のシャワーヘッドを有する吐水装置、例えば浴室内に設置されるシャワーヘッドを備えた吐水装置にも勿論適用可能なものであるし、或いは洗髪シャワー水栓装置にも適用可能である。
またそのようなシャワーヘッドを有しない通常の吐水管及び水栓本体を備えた吐水装置に対しても適用可能である。
【００５５】
更に上例では主水路及びパイロット水路を備えた吐水装置に対して本発明を適用しているが、本発明は円筒スプール弁体にて直接主水路の開閉及び流量調節を行うようになすことも可能であるなど、その主旨を逸脱しない範囲において種々変更を加えた形態で構成可能である。
【図面の簡単な説明】
【図１】  本発明の一実施例である吐水装置におけるシャワーヘッドと継手管内部の構成を示す断面図である。
【図２】  同じ実施例における図１とは異なる一作用状態を示す図である。
【図３】  同じ実施例における流量調節弁部の作用説明図である。
【図４】  同じ実施例におけるシャワーヘッドの要部を一部切り欠いて示す図である。
【図５】  同じ実施例の吐水装置の概略全体構成を示す図である。
【図６】  図５の吐水装置の要部を示す図である。
【図７】  従来の吐水装置の一例の要部を示す図である。
【図８】  従来の吐水装置の図７とは異なる一例の要部を示す図である。
【図９】  図８の吐水装置の要部を各部品に分解して示す図である。
【符号の説明】
１４  吐水管
１６  シャワーヘッド
１８  吐水口
２２  回転操作部
３２  シャワーホース
３４  継手管
３６  主水路
４２  主弁
４６  パイロット水路
５６  減圧弁
８０  円筒スプール弁体
８４  周壁部
８６  第一開口
８８  第二開口
９０  パイロット弁部
９２  流量調節弁部
９６  第一連通口
９８  第二連通口
【図１】
0004116742.tif 000002
【図２】
0004116742.tif 000003
【図３】
0004116742.tif 000004
【図４】
0004116742.tif 000005
【図５】
0004116742.tif 000006
【図６】
0004116742.tif 000007
【図７】
0004116742.tif 000008
【図８】
0004116742.tif 000009
【図９】
0004116742.tif 000010